(57)【特許請求の範囲】
【請求項１】
冷却器の下方に前記冷却器の除霜水を受ける露受け具(50)が配置され、前記冷却器と前記露受け具(50)の間に配置されたガラス管式電気ヒータ(51)の発熱によって前記冷却器の除霜を行う除霜装置において、
前記露受け具(50)には前記ガラス管式電気ヒータ(51)の両端部を浮いた状態に支える支持部(52)を設け、
前記支持部(52)には、前記ガラス管式電気ヒータ(51)の通電用リード線(55)が下方の挿入間口を若干広げながら挿入されたとき自己復元力によって前記リード線(55)を押圧保持するリード線保持部(53)を一体に形成し、
このリード線保持部(53)は、前記支持部(52)の前面側の下部の窪み部(56)にその上方張り出し部(57)よりも前方へ突出しない状態で形成されていることを特徴とする冷却器の除霜装置。
【請求項２】
請求項１において、前記露受け具には、前記支持部及び前記リード線保持部よりも外側位置において前記ガラス管式電気ヒータの両端部側面に対面して前記電気ヒータの左右位置を制限する位置決め部を一体形成したことを特徴とする冷却器の除霜装置。
【発明の詳細な説明】
【０００１】
【発明の属する技術分野】
本発明は、冷却器の下方に前記冷却器の除霜水を受ける露受け具が配置され前記冷却器と前記露受け具の間に配置されたガラス管式電気ヒータの発熱によって前記冷却器の除霜を行う除霜装置に関し、特に前記電気ヒータの通電用リード線の保持構造の改良に関する。
【０００２】
【従来の技術】
先行技術を図４乃至図７に基づいて説明する。１は冷蔵庫本体であり外箱（外壁板）３と内箱（内壁板）２との間に発泡断熱材４を充填した断熱構造である。冷蔵庫本体１内には、上から冷蔵室５、野菜室６、冷凍室７が区画されて設けられ、冷蔵室５内の底部にはその上方の冷蔵室５と区画板（区画壁）８にて区画された特定低温室９が設けられ、また冷凍室７は上冷凍室１０と下冷凍室１１とに区分されている。冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【０００３】
２５は冷凍システムの冷媒の圧縮機、２６は冷凍システムの冷媒の凝縮器、２７は凝縮器２６の熱にて後述の冷却器の除霜水を蒸発させる蒸発皿である。２８と２９は冷凍システムの冷媒の冷却器（蒸発器）であり、２８は冷凍室７用冷却器であり、２９は冷蔵室５用冷却器である。３０は冷凍室７用冷気循環送風機、３１は冷蔵室５用冷気循環送風機である。冷凍室７用冷却器２８で冷却した冷気は送風機３０によって、製氷室２０、上冷凍室１０及び下冷凍室１１を経て冷却器２８へ帰還する循環をする。また冷蔵室５用冷却器２９で冷却した冷気は送風機３１によって、冷蔵室５、特定低温室９及び野菜室６を経て冷却器２８へ帰還する循環をする。特定低温室９は、特定低温室９内に設けた左右のレールに対してそれぞれ前後方向へ引き出し可能に支持した容器５０が設けられている。
【０００４】
３２は冷却器２８の下方に配置されて冷却器２８の除霜水を受ける露受け具である。３３は冷却器２８と露受け具３２の間に配置されたガラス管式電気ヒータでありその発熱によって冷却器２８の除霜を行う除霜装置を構成している。３４は冷却器２９の下方に配置されて冷却器２９の除霜水を受ける露受け具である。３５は冷却器２９と露受け具３４の間に配置されたガラス管式電気ヒータでありその発熱によって冷却器２９の除霜を行う除霜装置を構成している。
【０００５】
露受け具３２と３４はその裏面を発泡断熱材４で囲まれた配置であり、その設置場所の関係から形状が若干異なるが機能構成は同じである。このため、その機能構成を露受け具３２について図５乃至図７に基づいて説明する。露受け具３２は上方に開いた皿状であり、その内面上にはガラス管式電気ヒータ３３の両端部を支持する左右一対の支持部３６が一体形成されている。３７、３７はそれぞれ左右一対の支持部３６の外側位置において露受け具３２に一体形成されたリード線保持部であり、電気ヒータ３３の通電用リード線３８が上方から挿入される溝３９を形成している。電気ヒータ３５と露受け具３４に関しても同様の構成である。
【０００６】
【発明が解決しようとする課題】
この種の冷蔵庫にあっては、通常、ガラス管式電気ヒータ３３の通電用リード線３８は上方へ延びて電源に接続される。この先行技術において、ガラス管式電気ヒータ３３の通電用リード線３８の保持は、リード線保持部３７の溝３９に上方から押し込まれて保持されている状態であり、リード線保持部３７へリード線３８の挿入作業はし易いが、上方に配置された電装部品との関係からリード線３８が上方へ延びて電源ラインに接続される作業の際に抜けてガラス管式電気ヒータとリード線の接続部の破損に至ることが多々ある。本発明は、このような課題を解決するものであり、リード線の保持の確実性によって、リード線が上方へ引っ張られた場合にもガラス管式電気ヒータとリード線の接続部の破損防止ができる構成を提供するものである。
【０００７】
【課題を解決するための手段】
本発明は前記課題を解決するための一つの具体的な手段として、冷却器の下方に前記冷却器の除霜水を受ける露受け具(50)が配置され、前記冷却器と前記露受け具(50)の間に配置されたガラス管式電気ヒータ(51)の発熱によって前記冷却器の除霜を行う除霜装置において、前記露受け具(50)には前記ガラス管式電気ヒータ(51)の両端部を浮いた状態に支える支持部(52)を設け、前記支持部(52)には、前記ガラス管式電気ヒータ(51)の通電用リード線(55)が下方の挿入間口を若干広げながら挿入されたとき自己復元力によって前記リード線(55)を押圧保持するリード線保持部(53)を一体に形成し、このリード線保持部(53)は、前記支持部(52)の前面側の下部の窪み部(56)にその上方張り出し部(57)よりも前方へ突出しない状態で形成する技術手段を採用した。
【０００８】
また、本発明は、前記課題を解決するための一つの具体的な手段として、前記露受け具には、前記支持部及び前記リード線保持部よりも外側位置において前記ガラス管式電気ヒータの両端部側面に対面して前記電気ヒータの左右位置を制限する位置決め部を一体形成する技術手段を採用した。
【０００９】
【発明の実施の形態】
次に、本発明の実施形態について説明する。図１乃至図３は本発明の一つの実施の形態を示しており、図１は露受け具の斜視図、図２は図１の露受け具を冷蔵庫に取り付けた状態を縦断面で示す説明図、図３はガラス管式電気ヒータの両端部を支持する部分の説明用斜視図である。
【００１０】
本発明の除霜装置を図４の冷蔵庫に適用した場合について、以下に本発明の実施形態を説明する。図１乃至図３において、５０は、冷却器２８又は２９の除霜水を受けるように冷却器２８又は２９の下方に配置された露受け具である。露受け具５０は上方に開いた皿状であり、その内面上にはガラス管式電気ヒータ５１の両端部を支持する左右一対の支持部５２、５２が一体形成されている。５３はそれぞれ左右一対の支持部５２、５２の前面側の側面にこの支持部と一体成形にて形成したリード線保持部であり、電気ヒータ５１の通電用リード線５５が下方の挿入間口５４を若干広げながら挿入されたとき自己復元力によってリード線５５を押圧保持する機能を有する。リード線保持部５３、５３は、支持部５２、５２の前面側の下部の窪み部５６にその上方張り出し部５７よりも前方へ突出しない状態で形成されている。即ち、リード線保持部５３、５３は支持部５２、５２よりも突出しない状態に形成されているので、リード線保持部５３、５３が支持部５２、５２よりも突出した場合に生じ易い作業者の怪我や、工具が当たることによるリード線保持部５３、５３の破損も抑制できる。
【００１１】
５８は、左右の支持部５２、５２及び左右のリード線保持部５３、５３よりも外側位置においてガラス管式電気ヒータ５１の両端部側面５９に対面して電気ヒータ５１の左右位置を制限する位置決め部であり、露受け具５０と一体成形されている。両端部５９には電気ヒータ５１の端子部分があり、この端子部分を覆うためにシリコンゴム製の電気絶縁カバー６０が設けられている。露受け具５０とそれと一体成形される左右の支持部５２、５２及び左右のリード線保持部５３、５３、更に左右の位置決め部５８、５８は、ポリプロピレン等の合成樹脂で成形される。
【００１２】
上記のように本発明は、冷却器の下方に前記冷却器の除霜水を受ける露受け具が配置され前記冷却器と前記露受け具の間に配置されたガラス管式電気ヒータの発熱によって前記冷却器の除霜を行う除霜装置において、前記露受け具には前記ガラス管式電気ヒータの両端部を浮いた状態に支える支持部を設け、前記支持部には、前記ガラス管式電気ヒータの通電用リード線が下方の挿入間口を若干広げながら挿入されたとき自己復元力によって前記リード線を押圧保持するリード線保持部を一体に形成した構成である。このため、上記実施形態においては、リード線５５はリード線保持部５３に押圧保持され、上方に配置された電装部品との関係からリード線５５が上方へ延びて電源ラインに接続される配線作業によってリード線５５が上方へ引っ張られた場合にも、リード線５５はリード線保持部５３の奥側に入り込んで保持が強くなり、このリード線保持部５３からリード線５５が外れることはなく、リード線５５とガラス管式電気ヒータ５１との接続部の破損防止の効果が期待できる。
【００１３】
また、前記リード線保持部は前記支持部よりも突出しない状態に形成されている。このため、上記実施形態においては、リード線保持部５３、５３は、支持部５２、５２の前面側の下部の窪み部５６にその上方張り出し部５７よりも前方へ突出しない状態で形成されており、リード線保持部５３、５３が支持部５２、５２よりも突出した場合に生じ易い作業者の怪我や、工具が当たることによるリード線保持部５３、５３の破損も抑制できる。
【００１４】
また、前記露受け具には、前記支持部及び前記リード線保持部よりも外側位置において前記ガラス管式電気ヒータの両端部側面に対面して前記電気ヒータの左右位置を制限する位置決め部を一体形成する技術手段を採用した。このため、上記実施形態においては、リード線５５がリード線保持部５３から上方へ配線されても位置決め部５８が邪魔にならない。また、電気ヒータ５１の左右位置は位置決め部５８によって制限され、支持部５２による所定位置での支持によって冷却器と露受け具に対する所定位置の確保ができ、更に、リード線保持部５３に保持されたリード線５５への余計な引っ張り力がなくリード線とガラス管式電気ヒータとの接続部の破損防止効果に優れる。
【００１５】
本発明は、上記実施形態に限定されず、本発明の技術的範囲を逸脱しない限り種種の変更が考えられ、それに係る種種の実施形態を包含するものである。
【００１６】
【発明の効果】
第１の発明によれば、リード線はリード線保持部に押圧保持され、配線作業によってリード線が上方へ引っ張られた場合にも、このリード線保持部からリード線が外れることはなく、また、リード線とガラス管式電気ヒータとの接続部の破損防止の効果が期待できる。
【００１７】
また第２の発明によると、リード線がリード線保持部から上方へ配線されても位置決め部が邪魔にならない。
【図面の簡単な説明】
【図１】  本発明の実施形態に係る露受け具の斜視図である。
【図２】  本発明の実施形態に係る図１の露受け具を冷蔵庫に取り付けた状態を縦断面で示す説明図である。
【図３】  本発明の実施形態に係るガラス管式電気ヒータの両端部を支持する部分の説明用斜視図である。
【図４】  本発明が適用される先行技術の冷蔵庫の縦断面側面図である。
【図５】  先行技術の露受け具の斜視図である。
【図６】  図１の露受け具の縦断面である。
【図７】  先行技術に係るガラス管式電気ヒータの両端部を支持する部分の説明用斜視図である。
【符号の説明】
１……冷蔵庫本体
２……内箱
３……外箱
４……断熱材
５……冷蔵室
６……野菜室
７……冷凍室
２８…冷凍室用冷却器
２９…冷蔵室用冷却器
３０…冷凍室用冷気循環送風機
３１…冷蔵室用冷気循環送風機
５０…露受け具
５１…ガラス管式電気ヒータ
５２…支持部
５３…リード線保持部
５４…挿入間口
５５…リード線
５６…窪み部
５７…張り出し部
５８…位置決め部
５９…ガラス管式電気ヒータの両端部側面
６０…電気絶縁カバー
【図１】
0003650015.tif 000002
【図２】
0003650015.tif 000003
【図３】
0003650015.tif 000004
【図４】
0003650015.tif 000005
【図５】
0003650015.tif 000006
【図６】
0003650015.tif 000007
【図７】
0003650015.tif 000008